(57)【特許請求の範囲】
【請求項１】
第１音声出力部と、前記第１音声出力部からの音声を出力するための穴が位置する面に配置された表示部と、当該表示部の表示領域への操作を検出する入力部と、を備える電子機器であって、
前記電子機器に対する入力情報を、外部の入力機器から受信する無線通信部と、
物体の、前記表示部への近接を検出する近接検出部と、
外部の第１電話機器との通話を行う通話処理部と、
前記物体の近接を検出し、かつ、前記通話を行っているときに、前記入力機器からの入力を有効に設定する設定部と、
外部へとメッセージを送信するメッセージ処理部と
を備え、
前記メッセージ処理部は、前記通話中において前記入力機器の入力が有効であるときに、前記入力機器の入力に基づいて前記メッセージを送信し、
前記通話処理部は、前記第１電話機器との通話中に第２電話機器からの割り込み着信を受け取り、
前記設定部は、前記近接検出部が前記物体の近接を検出しつつ前記通話処理部が前記割り込み着信を受け取ったときに、前記割り込み着信に対する前記入力機器の入力を有効に設定し、
前記通話処理部は、前記入力機器の入力に基づいて前記メッセージを送信すると、前記通話の終了の際に、前記通話中に送信した前記メッセージを前記表示部に表示する、電子機器。
【請求項２】
請求項１に記載の電子機器であって、
前記第１音声出力部よりも大きい音量で前記音声を出力する第２音声出力部と
を備え、
前記通話処理部は、前記第１音声出力部および前記第２音声出力部の一方を用いて通話を行い、
前記設定部は、前記第１音声出力部を用いた通話が行われているときに、前記入力機器からの入力を有効に設定する、電子機器。
【請求項３】
請求項１または請求項２に記載の電子機器であって、
前記無線通信部は、スピーカを有する第１外部装置と無線通信可能であり、
前記通話処理部は、前記第１外部装置を用いた通話において、前記無線通信部を介して前記第１電話機器からの音声信号を前記第１外部装置へと送信して前記第１外部装置の前記スピーカから音声を出力させ、
前記設定部は、前記通話処理部が前記第１外部装置を用いて通話を行うときにも、前記入力機器からの入力を有効に設定する、電子機器。
【請求項４】
請求項１または請求項２に記載の電子機器であって、
前記設定部は、前記物体の近接を検出していないときに、前記入力機器からの入力を無効に設定する、電子機器。
【請求項５】
請求項１から請求項４のいずれか一つに記載の電子機器であって、
スピーカを有する第２外部装置と有線で接続される接続部を更に備え、
前記通話処理部は、前記第２外部装置を用いた通話において、前記接続部を介して前記第１電話機器からの音声信号を前記第２外部装置へと出力して、前記第２外部装置の前記スピーカから音声を出力させ、
前記設定部は、前記物体の近接を検出せずに前記通話処理部が前記第２外部装置を用いて通話を行うときには、前記入力機器からの入力を無効に設定する、電子機器。
【請求項６】
請求項１から請求項５のいずれか一つに記載の電子機器であって、
前記入力機器の入力は、前記割り込み着信に対する通話の拒否を含む、電子機器。
【請求項７】
請求項１から請求項６のいずれか一つに記載の電子機器であって、
通話内容を録音する録音処理部と
テキストのデータおよび図形のデータの少なくとも一方を生成して記憶するメモ処理部と
を備え、
前記設定部は、前記物体の近接を検出し、かつ、前記通話を行っているときに、前記録音処理部および前記メモ処理部のいずれか一方に対する前記入力機器の入力を有効に設定する、電子機器。
【請求項８】
請求項１から請求項７のいずれか一つに記載の電子機器であって、
前記第１電話機器との通話中に割り込み着信を送信した第３電話機器のユーザの名前を読み上げる読み上げ部を更に備える、電子機器。
【請求項９】
請求項１から請求項８のいずれか一つに記載の電子機器であって、
通話内容を文字列に変換する音声認識部と、
前記通話において前記入力機器の入力が有効であるときに、前記入力機器によって入力されるテキストに含まれる入力文字列を、前記音声認識部によって認識される通話内容に含まれる音声文字列に基づいて修正する文字列修正部と
をさらに備える、電子機器。
【請求項１０】
請求項９に記載の電子機器であって、
前記文字列修正部は、過去の通話内容に第１回数以上含まれる文字列を前記音声文字列として採用しつつ、前記入力機器からテキストが入力されるときの通話内容に、第１回数よりも少ない第２回数以上含まれる文字列を前記音声文字列として採用する、電子機器。
【発明の詳細な説明】
【技術分野】
【０００１】
本発明は、電子機器に関する。
【背景技術】
【０００２】
特許文献１および特許文献２には、指輪型入力機器と端末とが記載されている。指輪型入力機器はユーザの指に装着され、当該指の動きを端末へと送信する。端末は、指の動きに応じた処理を実行する。
【０００３】
特許文献３は、携帯型移動体通信端末と近距離通信するハンズフリー装置とを開示している。ユーザは、通話中に第三者から割り込みの着信があると、ハンズフリー装置を介して、割り込み着信に応答するか否かの操作をすることができる。
【先行技術文献】
【特許文献】
【０００４】
【特許文献１】特開２０１１−２２１６６９号公報
【特許文献２】米国特許出願公開第２００９／２５１４０７号明細書
【特許文献３】特開２００７−３６６７８号公報
【発明の概要】
【発明が解決しようとする課題】
【０００５】
入力機器の入力をどのような状態で有効にするのかという点で工夫の余地があった。特に、入力機器の入力が必要な状況において、入力を有効にすることが求められている。
【０００６】
本発明は上述の点に鑑みて成されたものであり、入力機器を用いた入力の必要性が高いときに入力を有効にする電子機器を提供することを目的とする。
【課題を解決するための手段】
【０００７】
電子機器が開示される。一実施の形態においては、電子機器は、第１音声出力部と、前記第１音声出力部からの音声を出力するための穴が位置する面に配置された表示部と、当該表示部の表示領域への操作を検出する入力部と、を備える。また電子機器は、無線通信部と近接検出部と通話処理部と設定部とメッセージ処理部とを備える。無線通信部は、当該電子機器に対する入力情報を、外部の入力機器から受信する。近接検出部は、物体の、前記表示部への近接を検出する。通話処理部は外部の第１電話機器との通話を行う。設定部は、前記物体の近接を検出し、かつ、前記通話を行っているときに、前記入力機器からの入力を有効に設定する。メッセージ処理部は外部へとメッセージを送信する。メッセージ処理部は、前記通話中において前記入力機器の入力が有効であるときに、前記入力機器の入力に基づいて前記メッセージを送信する。通話処理部は、第１電話機器との通話中に第２電話機器からの割り込み着信を受け取る。設定部は、近接検出部が物体の近接を検出しつつ通話処理部が割り込み着信を受け取ったときに、割り込み着信に対する入力機器の入力を有効に設定し、前記通話処理部は、前記入力機器の入力に基づいて前記メッセージを送信すると、前記通話の終了の際に、前記通話中に送信した前記メッセージを前記表示部に表示する。
【発明の効果】
【００１９】
本発明によれば、より入力機器の入力を必要な状況で入力を有効できる。
【図面の簡単な説明】
【００２０】
【図１】携帯電話機システムの一例を概略的に示す図である。
【図２】装着型入力機器の内部構成の一例を概略的に示す図である。
【図３】携帯電話機の外観の一例を概略的に示す裏面図である。
【図４】携帯電話機の電気的な内部構成の一例を概略的に示す図である。
【図５】制御部の内部構成の一例を概略的に示す図である。
【図６】着信画面の一例を概略的に示す図である。
【図７】装着型入力機器の空間的な動きの一例を概略的に示す図である。
【図８】装着型入力機器の空間的な動きの一例を概略的に示す図である。
【図９】装着型入力機器の空間的な動きの一例を概略的に示す図である。
【図１０】制御部の動作の一例を示すフローチャートである。
【図１１】携帯電話機の電気的な内部構成の一例を概略的に示す図である。
【図１２】通話画面の一例を概略的に示す図である。
【図１３】制御部の動作の一例を示すフローチャートである。
【図１４】携帯電話機システムの一例を概略的に示す図である。
【図１５】制御部の動作の一例を示すフローチャートである。
【図１６】携帯電話機システムの一例を概略的に示す図である。
【図１７】制御部の動作の一例を示すフローチャートである。
【図１８】制御部の動作の一例を示すフローチャートである。
【図１９】制御部の動作の一例を示すフローチャートである。
【図２０】制御部の内部構成の一例を概略的に示す図である。
【図２１】制御部の動作の一例を示すフローチャートである。
【図２２】制御部の動作の一例を示すフローチャートである。
【図２３】制御部の動作の一例を示すフローチャートである。
【図２４】制御部の動作の一例を示すフローチャートである。
【図２５】制御部の動作の一例を示すフローチャートである。
【図２６】通話終了画面の一例を概略的に示す図である。
【図２７】通話終了画面の一例を概略的に示す図である。
【図２８】制御部の内部構成の一例を概略的に示す図である。
【図２９】制御部の内部構成の一例を概略的に示す図である。
【図３０】文字列修正部の入出力の一例を概略的に示す図である。
【発明を実施するための形態】
【００２１】
第１の実施の形態．
＜１．全体構成＞
図１は、携帯電話機システムの構成の一例を概略的に示す図である。図１の例示では、携帯電話機システムは、携帯電話機１００および装着型入力機器２００を備えている。携帯電話機１００および装着型入力機器２００は無線により互いに通信する。この携帯電話機システムにおいては、後に述べるように、ユーザは装着型入力機器２００を用いて携帯電話機１００に対して入力を行うことができる。すなわち、装着型入力機器２００は携帯電話機１００に対する入力情報を携帯電話機１００へと送信し、携帯電話機１００は当該入力情報に応じて動作する。これにより、ユーザは、携帯電話機１００から離れた状態で携帯電話機１００を操作することができる。なお本実施の形態は携帯電話機１００に限らず、通話機能を有する電子機器を採用できる。例えばタブレット、ＰＤＡ(Personal Digital Assistant)、スマートフォン、携帯音楽プレイヤー、または、パーソナルコンピュータなどである。
【００２２】
＜２．装着型入力機器＞
装着型入力機器２００は例えばユーザの操作部位に装着される。図１の例示では、操作部位は指であり、装着型入力機器２００は全体としてリング状に構成されている。ユーザは、この装着型入力機器２００を当該指に嵌めることによって、装着型入力機器２００を装着する。この装着型入力機器２００はユーザによって空間的に動かされる。なお、装着型入力機器２００は、必ずしもリング状に構成されている必要はなく、例えば一端が閉じた筒状の形状を有して、ユーザの例えば指に装着されてもよい。この場合、筒状形状の開口部に指先を挿入することで、装着型入力機器２００が装着される。あるいは、装着型入力機器２００は例えばベルト部材を有して当該ベルト部材によってユーザの例えば腕に装着されていてもよい。要するに、装着型入力機器２００は、任意の形状または装着部材によって、ユーザに装着されればよい。
【００２３】
図２は、装着型入力機器２００の電気的な内部構成の一例を概略的に示す図である。例えば装着型入力機器２００は近接無線通信部２１０と動き情報検出部２２０とを備えている。
【００２４】
近接無線通信部２１０はアンテナ２１１を有しており、アンテナ２１１を介して携帯電話機１００と近接無線通信を行うことができる。近接無線通信部２１０は、例えばＢＬＵＥＴＯＯＴＨ（登録商標）規格などに則って通信を行なう。
【００２５】
動き情報検出部２２０は、装着型入力機器２００の空間的な動きを反映する動き情報ＭＤ１を検出する。装着型入力機器２００は操作部位に装着されているので、この動き情報ＭＤ１は操作部位の動きも反映する。よって以下では、装着型入力機器２００の空間内の動きを、操作部位の動きとして説明する。
【００２６】
例えば動き情報検出部２２０は加速度センサ２２１を有している。この加速度センサ２２１は、互いに直交する３方向の加速度成分を、例えば所定時間ごとに繰り返し検出する。装着型入力機器２００の位置（即ち、操作部位の位置）は、加速度の、時間についての２回積分で表すことができるので、加速度センサ２２１の検出値の時系列データによって操作部位の動きを表すことができる。よってここでは、動き情報ＭＤ１の一例として、３方向の加速度成分の時系列データを採用するのである。あるいは、この時系列データから装着型入力機器２００の動きを特定し、その動きの情報を動き情報ＭＤ１として採用してもよい。
【００２７】
動き情報検出部２２０は、検出した動き情報ＭＤ１を、近接無線通信部２１０を介して携帯電話機１００へと送信する。この動き情報ＭＤ１は上述の入力情報の一例となる。
【００２８】
＜３．携帯電話機＞
＜３−１．外観＞
図１の例示では、携帯電話機１００の前面側から見た外観が示されている。図３は携帯電話機１００の概観を示す裏面図である。この携帯電話機１００は、例えば、基地局及びサーバ等を通じて、或いは、直接に、他の通信装置と通信することが可能である。
【００２９】
図１および図３に示されるように、携帯電話機１００は、カバーパネル２とケース部分３を備えており、カバーパネル２とケース部分３とが組み合わされることによって、平面視で略長方形の板状を成す筐体（以下、機器ケースとも呼ぶ）４が構成されている。
【００３０】
カバーパネル２は、平面視において略長方形を成しており、携帯電話機１００の前面部分における、周縁部分以外の部分を構成している。カバーパネル２は、例えば、透明のガラスあるいは透明のアクリル樹脂で形成されている。あるいは、カバーパネル２は、例えばサファイアで形成されている。ここで、サファイアとは、アルミナ（Ａｌ２Ｏ３）を主成分とする単結晶のことをいい、本明細書では、Ａｌ２Ｏ３純度が約９０％以上の単結晶のことをいう。傷がよりつき難くなるという点で、Ａｌ２Ｏ３純度は９９％以上であることが好ましい。カバーパネル２の材料としては他に、例えば、ダイヤモンド、ジルコニア、チタニア、水晶、タンタル酸リチウム、酸化窒化アルミニウムなどが挙げられる。これらも、傷がよりつき難くなるという点で、純度が約９０％以上の単結晶が好ましい。
【００３１】
カバーパネル２は、サファイアから成る層を含む複数層構造の複合パネル（積層パネル）であっても良い。例えば、カバーパネル２は、携帯電話機１００の表面に設けられたサファイアから成る層（サファイアパネル）と、当該層に貼り付けられたガラスから成る層（ガラスパネル）とで構成された２層構造の複合パネルであっても良い。また、カバーパネル２は、携帯電話機１００の表面に設けられたサファイアから成る層（サファイアパネル）と、当該層に貼り付けられたガラスから成る層（ガラスパネル）と、当該層に貼り付けられたサファイアから成る層（サファイアパネル）とで構成された３層構造の複合パネルであっても良い。また、カバーパネル２は、サファイア以外の結晶性材料、例えば、ダイヤモンド、ジルコニア、チタニア、水晶、タンタル酸リチウム、酸化窒化アルミニウムなどから成る層を含んでいても良い。
【００３２】
ケース部分３は、携帯電話機１００の前面部分の周縁部分、側面部分及び裏面部分を構成している。ケース部分３は、例えばポリカーボネート樹脂で形成されている。
【００３３】
カバーパネル２の前面には、文字、記号、図形または画像等の各種情報が表示される表示領域２ａが設けられている。この表示領域２ａは例えば平面視で長方形を成している。カバーパネル２における、表示領域２ａを取り囲む周縁部分２ｂは、例えばフィルム等が貼られることによって黒色となっており、情報が表示されない非表示部分となっている。カバーパネル２の裏面には後述するタッチパネル５０が貼り付けられており、ユーザは、携帯電話機１００の前面の表示領域２ａを指等で操作することによって、携帯電話機１００に対して各種指示を与えることができる。なお、ユーザは、指以外の操作子、例えば、スタイラスペンなどの静電式タッチパネル用ペンで表示領域２ａを操作することによっても、携帯電話機１００に対して各種指示を与えることができる。
【００３４】
機器ケース４内には、例えば操作キー５が設けられている。操作キー５は、例えばハードウェアキーであって、例えばカバーパネル２の前面の下側端部に設けられている。
【００３５】
タッチパネル５０および操作キー５は、携帯電話機１００への入力を行う入力部である。
【００３６】
＜３−２．携帯電話機の電気的構成＞
図４は携帯電話機１００の電気的構成を示すブロック図である。図４に示されるように、携帯電話機１００には、制御部１０、無線通信部２０、近接無線通信部２２、表示部３０、第１音声出力部（ここではレシーバ）４２、第２音声出力部（ここではスピーカ）４４、マイク４６、タッチパネル５０、キー操作部５２、撮像部６０が設けられている。携帯電話機１００に設けられたこれらの構成要素は、機器ケース４に収められている。
【００３７】
制御部１０は、例えばＣＰＵ（Central Processing Unit）１０１、ＤＳＰ（Digital Signal Processor）１０２及び記憶部１０３等を備えており、携帯電話機１００の他の構成要素を制御することによって、携帯電話機１００の動作を統括的に管理する。記憶部１０３は、ＲＯＭ（Read Only Memory）及びＲＡＭ（Random Access Memory）等で構成されている。記憶部１０３には、携帯電話機１００の動作、具体的には携帯電話機１００が備える無線通信部２０、表示部３０等の各構成要素を制御するための制御プログラムであるメインプログラム及び複数のアプリケーションプログラム（以後、単に「アプリケーション」とも呼ぶ）等が記憶されている。制御部１０の各種機能は、ＣＰＵ１０１及びＤＳＰ１０２が記憶部１０３内の各種プログラムを実行することによって実現される。なお図４の例示では、ＣＰＵ１０１およびＤＳＰ１０２がそれぞれ一つ示されているものの、これらは複数設けられてもよい。そして、これらが互いに協働して各種機能を実現してもよい。また、図４の例示では、記憶部１０３は、制御部１０の内部において示されているものの、制御部１０の外部に設けられてもよい。換言すれば、記憶部１０３は制御部１０とは別体であってもよい。また、制御部１０の機能の一部または全部はハードウェアによって実現されても構わない。
【００３８】
無線通信部２０は、アンテナ２１を有している。無線通信部２０は、他の携帯電話機あるいはインターネットに接続されたウェブサーバ等の通信装置からの信号を、基地局等を介してアンテナ２１で受信する。無線通信部２０は、受信信号に対して増幅処理及びダウンコンバートを行って制御部１０に出力する。制御部１０は、入力される受信信号に対して復調処理等を行う。また無線通信部２０は、制御部１０で生成された送信信号に対してアップコンバート及び増幅処理を行って、処理後の送信信号をアンテナ２１から無線送信する。アンテナ２１からの送信信号は、基地局等を通じて、他の携帯電話機あるいはインターネットに接続された通信装置で受信される。
【００３９】
近接無線通信部２２は、アンテナ２３を有している。近接無線通信部２２は、無線通信部２０の通信対象（例えば基地局）に比べて近い位置に存在する通信端末との通信を、アンテナ２３を介して行なう。例えば装着型入力機器２００と通信を行う。近接無線通信部２２は、例えばＢＬＵＥＴＯＯＴＨ（登録商標）規格などに則って通信を行なう。
【００４０】
表示部３０は、例えば、液晶表示パネルあるいは有機ＥＬパネルである。表示部３０は、制御部１０によって制御されることによって、文字、記号、図形または画像などの各種情報を表示する。表示部３０に表示される情報は、カバーパネル２の前面の表示領域２ａに表示される。したがって、表示部３０は、表示領域２ａに表示を行っていると言える。
【００４１】
タッチパネル５０は、カバーパネル２の表示領域２ａに対する操作指等の操作子による操作を検出する。タッチパネル５０は、例えば、投影型静電容量方式のタッチパネルであって、カバーパネル２の裏面に貼り付けられている。ユーザが操作指等の操作子によってカバーパネル２の表示領域２ａに対して操作を行うと、それに応じた信号がタッチパネル５０から制御部１０に入力される。制御部１０は、タッチパネル５０からの信号に基づいて、表示領域２ａに対して行われた操作の内容を特定して、その内容に応じた処理を行う。
【００４２】
キー操作部５２は、各操作キー５に対するユーザの押下操作を検出する。キー操作部５２は、各操作キー５について、当該操作キー５が押下されているか否かを検出する。キー操作部５２は、操作キー５が押下されていない場合には、当該操作キー５が操作されていないことを示す未操作信号を制御部１０に出力する。また、キー操作部５２は、操作キー５が押下されると、当該操作キー５が操作されたことを示す操作信号を制御部１０に出力する。これにより、制御部１０は、各操作キー５について、当該操作キー５が操作されているか否かを判断することができる。
【００４３】
レシーバ４２は、受話音を出力するものであって、例えばダイナミックスピーカで構成されている。レシーバ４２は、制御部１０からの電気的な音信号を音に変換して出力する。レシーバ４２から出力される音は、携帯電話機１００の前面に設けられたレシーバ穴８０ａから外部に出力される。レシーバ穴８０ａから出力される音の音量は、スピーカ４４からスピーカ穴３４ａを介して出力される音の音量よりも小さくなっている。
【００４４】
なお第１音声出力部として、レシーバ４２に替えて、圧電振動素子が設けられてもよい。圧電振動素子は、制御部１０によって制御され、音声信号に基づいて振動する。圧電振動素子は例えばカバーパネル２の裏面に設けられており、音声信号に基づく自身の振動によってカバーパネル２を振動させる。これにより、カバーパネル２の振動が音声としてユーザの耳に伝達される。この場合、レシーバ穴８０ａは不要である。
【００４５】
スピーカ４４は、例えばダイナミックスピーカであって、制御部１０からの電気的な音信号を音に変換して出力する。スピーカ４４から出力される音は、携帯電話機１００の裏面に設けられたスピーカ穴３４ａから外部に出力される。スピーカ穴３４ａから出力される音が、携帯電話機１００から離れた場所でも聞こえるように、その音量が調整されている。すなわち、第２音声出力部（スピーカ）４４の音量は第１音声出力部（スピーカ４４あるいは圧電振動素子）の音量よりも大きい。
【００４６】
マイク４６は、携帯電話機１００の外部から入力される音を電気的な音信号に変換して制御部１０に出力する。携帯電話機１００の外部からの音は、カバーパネル２の前面に設けられたマイク穴から携帯電話機１００の内部に取り込まれてマイク４６に入力される。
【００４７】
撮像部６０は例えば第１撮像部６２と第２撮像部６４とを有している。第１撮像部６２は撮像レンズ６ａおよび撮像素子などで構成されており、制御部１０による制御に基づいて、静止画像および動画像を撮像する。図１に示されるように、撮像レンズ６ａは、携帯電話機１００の前面に設けられていることから、携帯電話機１００の前面側（カバーパネル２側）に存在する物体を撮像することが可能である。
【００４８】
第２撮像部６４は、撮像レンズ７ａおよび撮像素子などで構成されており、制御部１０による制御に基づいて、静止画像および動画像を撮像する。図３に示されるように、撮像レンズ７ａは、携帯電話機１００の裏面に設けられていることから、携帯電話機１００の裏面側に存在する物体を撮像することが可能である。
【００４９】
＜３−３．制御部＞
図５は、制御部１０の内部構成の一例を概略的に示す機能ブロック図である。制御部１０は、例えば、通話処理部１１とリング入力処理部１２とメッセージ処理部１３とを備えている。制御部１０の各機能部は、例えば記憶部１０３に格納されたプログラムの実行によって実現されてもよく、或いは、その一部または全部がハードウェアで実現されてもよい。この点は後に述べる他の機能部についても同様であるので、以下では繰り返しの説明を避ける。
【００５０】
通話処理部１１は、他の電話機器との通話に関する通話処理を行う。例えば通話処理部１１は、無線通信部２０を介して、他の電話機器を呼び出すための発呼信号を送信し、他の電話機器からの着信を示す着信信号を受信する。また例えばマイク４６を介して入力された音声信号を他の電話機器へと送信し、他の電話機器から受信した音声信号を例えばレシーバ４２から出力する。
【００５１】
また通話処理部１１は、ある第１電話機器との通話中に、第１電話機器とは異なる第２電話機器からの着信信号（以下、割り込み着信と呼ぶ）を受け取ることもできる。このような割り込み着信を受け取ったときには、通話処理部１１はこれをユーザに報知し、その対応をユーザに促す。ユーザは、当該割り込み着信に応答したり、割り込み着信に対して拒否したりする。
【００５２】
図６は、割り込み着信を受信したときの着信画面１００ａの一例を概略的に示す図である。通話処理部１１はこの着信画面１００ａを表示部３０に表示させる。この着信画面１００ａには、例えば「応答」ボタン１０１ａと「拒否」ボタン１０２ａと「メッセージ送信」ボタン１０３ａとが表示されている。ボタン１０１ａは、第２電話機器との通話を開始するためのボタンである。「拒否」ボタン１０２ａは第２電話機器との通話を拒否するためのボタンである。「メッセージ送信」ボタン１０３ａは、第２電話機器へとメッセージを送信するためのボタンである。
【００５３】
ユーザがボタン１０１ａを操作すると、その操作がタッチパネル５０によって検出されて、その情報が通話処理部１１へと入力される。当該操作としては、操作子（例えば指）を表示領域２ａに近づけた後に表示領域２ａから離す操作（いわゆるタップ）を採用できる。以下で述べる他の操作についても同様である。当該情報が入力された通話処理部１１は、例えば第１電話機器との通話を保留にし、第２電話機器との通話を開始する。
【００５４】
ユーザがボタン１０２ａを操作すると、その操作がタッチパネル５０によって検出されて、その情報が通話処理部１１へと入力される。当該情報が入力された通話処理部１１は第２電話機器への通話を拒否する。
【００５５】
ユーザがボタン１０３ａを操作すると、その操作がタッチパネル５０によって検出されて、その情報が通話処理部１１へと入力される。当該情報が入力された通話処理部１１は、第２電話機器の宛先情報をメッセージ処理部１３へと出力する。当該宛先情報としては例えば第２電話機器の電話番号を採用することができる。この電話番号は例えば着信信号に含まれている。
【００５６】
メッセージ処理部１３は、第２電話機器へとメッセージを送信するための処理を行う。例えばユーザにメッセージの入力を行わせる画面（不図示）を表示部３０に表示する。この画面には、例えばメッセージを入力するための入力ボタンおよびメッセージを送信する送信ボタンが表示されており、ユーザが入力ボタンを適宜に操作して、メッセージを入力する。例えばユーザは「後で電話を掛けます。」とのメッセージを入力する。そして、メッセージの入力後に送信ボタンを操作することにより、メッセージ処理部１３は第２電話機器へとメッセージを送信する。メッセージを送信する機能は、例えば電子メール機能を利用することができる。
【００５７】
第２電話機器は当該メッセージを受け取って、自身の表示部に表示する。これにより、第２電話機器を用いるユーザは、本携帯電話機１００を用いるユーザの意図を知ることができる。
【００５８】
リング入力処理部１２は、入力内容特定部１２１と、設定部１２２とを備えている。入力内容特定部１２１は装着型入力機器２００からの動き情報ＭＤ１を、近接無線通信部２２を介して受け取り、その動き情報ＭＤ１によって示される入力内容を特定する。例えば、動き情報ＭＤ１と入力内容との対応関係が予め決められて記憶部（記憶部１０３など）に格納されており、この対応関係と、受け取った動き情報ＭＤ１とに基づいて、入力内容を特定する。
【００５９】
ボタン１０１ａ〜１０３ａに対応する操作部位の動きの一例がそれぞれ図７〜図９に概略的に示されている。図７〜図９では、操作部位（ここでは指）の動きを示す軌跡が太線で示されている。また図７〜図９では、理解を容易にすべく、対応するボタン１０１ａ〜１０３ａがそれぞれ示されている。図７の例示では、軌跡は左下に凸となる湾曲線であり、この動きにより、着信に対する「応答」が携帯電話機１００に入力されることになる。図８の例示では、軌跡は上に凸となる湾曲線であり、この動きにより、着信に対する「拒否」が携帯電話機１００に入力されることになる。図９の例示では、軌跡は、封筒を模式的に示す形状であり、この動きにより、着信に対する「メッセージ送信」が携帯電話機１００に入力されることとなる。
【００６０】
制御部１０は、入力内容特定部１２１によって特定された入力内容に応じた処理を行う。例えば図７および図８の動作に応答して、通話処理部１１が着信に対してそれぞれ応答および拒否したり、図９の動作に応答して、メッセージ処理部１３がメッセージ処理を実行する。
【００６１】
設定部１２２は、装着型入力機器２００を用いた入力（以下、リング入力とも呼ぶ）を有効に設定したり、無効に設定する。リング入力が有効であるときには、制御部１０はリング入力に応じた処理が行われるものの、リング入力が無効であるときには、制御部１０はリング入力に応じた処理を行わない。例えば、入力内容特定部１２１は、リング入力が有効であるときに動き情報ＭＤ１に基づいて入力内容を特定して、その入力内容に応じた処理部へと当該入力内容を出力する。一方で、リング入力が無効であるときには、入力内容特定部１２１は入力内容の特定を行わなくてもよい。あるいは、装着型入力機器２００へと動き情報ＭＤ１の送信を中止させてもよいし、もしくは、特定した入力内容を、対応する処理部へと出力しないことで、リング入力を無効にしてもよい。
【００６２】
この設定部１２２は、後に詳述するように、通話処理部１１が割り込み着信を受信したときに、リング入力を有効にする。
【００６３】
＜３−４．制御部の動作＞
図１０は制御部１０の動作の一例を示すフローチャートである。図１０の動作は、第１電話機器との通話中に実行される。まずステップＳＴ１にて、通話処理部１１は、第１電話機器とは異なる第２電話機器からの割り込み着信を受け取ったか否かを判断する。割り込み着信がないときには、再びステップＳＴ１を実行する。割り込み着信があると判断したときには、これをユーザに報知しつつ、ステップＳＴ２にて、その情報を設定部１２２へと出力する。当該情報を受け取った設定部１２２はリング入力を有効にする。
【００６４】
なおユーザへの報知は次のように行うこともできる。即ち、装着型入力機器２００に報知部（例えば振動素子、発光素子、表示部または音声出力部）を設け、通話処理部１１が装着型入力機器２００に対して着信を通知する。この通知を受けた装着型入力機器２００の報知部がユーザに報知を行う。これにより、ユーザは装着型入力機器２００によっても着信を認識することができる。
【００６５】
また、リング入力が有効であるので、ユーザは当該割り込み着信に対して装着型入力機器２００を用いることができる。よって、ユーザは、「応答」「拒否」および「メッセージ送信」に対応する動きの一つを操作部位で行うことで、割り込み着信に対して対応を行うことができる。
【００６６】
より具体的には、入力内容特定部１２１は上述のように、操作部位の動きを示す動き情報ＭＤ１に基づいて入力内容を特定する。そして、入力内容が「応答」である場合には、これを通話処理部１１へと出力する。通話処理部１１は、例えば第１電話機器との通話を保留し、第２電話機器との通話を行う。入力内容が「拒否」である場合には、これを通話処理部１１へと出力する。通話処理部１１は第２電話機器との通話を拒否する。
【００６７】
入力内容が「メッセージ送信」である場合には、これを通話処理部１１へと出力する。通話処理部１１は、第２電話機器の宛先情報（例えば電話番号）をメッセージ処理部１３へと送信する。メッセージ処理部１３はユーザによるメッセージの入力を待つ。ユーザはメッセージの各文字に対応する動きを順次に操作部位で行う。入力内容特定部１２１は動き情報ＭＤ１に基づいて各文字を順次に特定し、これをメッセージ処理部１３へと出力する。これにより、メッセージ処理部１３にはメッセージが入力されることとなる。
【００６８】
次に、ユーザはメッセージを第２電話機器へと送信するための送信指示となる動きを操作部位で行う。入力内容特定部１２１は動き情報ＭＤ１に基づいて入力内容が送信指示であると特定し、これをメッセージ処理部１３へと出力する。メッセージ処理部１３は、入力されたメッセージを、無線通信部２０を介して第２電話機器へと送信する。第２電話機器は当該メッセージを受け取って表示する。これにより、第２電話機器を用いるユーザは、本携帯電話機１００を用いるユーザの意図をメッセージで知ることができる。
【００６９】
以上のように、ユーザは携帯電話機１００を直接に操作することなく、言い換えれば、表示領域２ａに対する操作を行うことなく、装着型入力機器２００を用いて割り込み着信に対して対応することができる。つまり、ユーザは携帯電話機１００を離すことなく、割り込み着信に対して対応することができるのである。したがって、ユーザは、通話相手（第１電話機器を用いるユーザ）との通話を阻害されることなく、割り込み着信に対して対応することができるのである。
【００７０】
第２の実施の形態．
＜携帯電話機の電気的構成＞
図１１は携帯電話機１００の電気的構成の一例を示すブロック図である。図１１の例示では、携帯電話機１００は図４と比べて近接検出部７０を更に備えている。近接検出部７０は外部の物体の近接を検出し、その検出結果を制御部１０へと出力する。より具体的な一例として、近接検出部７０は、携帯電話機１００の少なくとも前面側に位置する物体の近接を検出する。よって、近接検出部７０は、ユーザが携帯電話機１００を顔に近接させて通話している状態で、物体の近接を検出することができる。
【００７１】
例えば近接検出部７０は光（例えば不可視光）を外部へと照射し、その反射を受信することで、外部の物体の近接を検出してもよい。或いは、近接検出部７０として、外部の光（例えば自然光など）を受光する照度センサを採用してもよい。外部の物体が照度センサに近接すると、当該光が物体にさえぎられて、照度センサに入射する光の強度が小さくなる。よって照度センサが検出する光の強度が基準値よりも小さいことを以て、物体の近接を検出することができる。或いは、近接検出部７０として、例えば第１撮像部６２を採用することもできる。この場合、撮像レンズ６ａに物体が近接すると、撮像レンズ６ａに入射する光の強度が小さくなる。よって例えば撮像した画像の画素値の平均値が基準値よりも小さいことを以て、物体の近接を検出することができる。
【００７２】
＜スピーカ４４を用いた通話＞
通話処理部１１は、携帯電話機１００のスピーカ４４を用いて通話を行うこともできる。通話処理部１１は、第１電話機器からの音声を、レシーバ４２による音量よりも大きな音量でスピーカ４４から出力する。これにより、ユーザは、携帯電話機１００から離れた状態でも、第１電話機器からの音声を認識することができる。またこのとき、通話処理部１１はマイク４６の感度を上げて、ユーザの音声を入力してもよい。これにより、ユーザが携帯電話機１００から離れた状態で発した音声が、マイク４６において適切に音声信号に変換されやすくなる。
【００７３】
レシーバ４２を用いた通話（以下、通常通話と呼ぶ）、および、スピーカ４４を用いた通話（以下、スピーカ通話とも呼ぶ）のどちらを行うかは、ユーザによって選択される。例えば、通話処理部１１は、これらの通話を切り替えるボタンを、通話画面に表示させる。図１２は通話中の通話画面１００ｂの一例を模式的に示す図である。通話画面１００ｂには、「通話終了」ボタン１０１ｂと、「スピーカ」ボタン１０２ｂとが表示されている。ボタン１０１ｂは通話を終了するためのボタンであり、ボタン１０２ｂは、スピーカ４４から音声を出力する通話を行うためのボタンである。なお図１２の例示では、他のボタンも表示されているものの、これらについては詳細な説明を省略する。
【００７４】
ユーザがボタン１０１ｂを操作すると、その操作がタッチパネル５０によって検出されて、その情報が通話処理部１１へと入力される。通話処理部１１は第１電話機器との通信を遮断して通話を終了する。
【００７５】
ユーザがボタン１０２ｂを操作すると、その操作がタッチパネル５０によって検出されて、その情報が通話処理部１１へと入力される。通話処理部１１はスピーカ通話を行う。そして、ボタン１０２ｂに替わりに、通常通話を行うためのボタン（不図示）を表示する。ユーザがこのボタンを操作することにより、通常通話を再び行うことができる。
【００７６】
以上のように、通話処理部１１はレシーバ４２を用いた通常通話と、スピーカ４４を用いたスピーカ通話とを、ユーザの入力に応じて切り替えることができる。
【００７７】
また通話を切り替えるためのボタンは表示部３０に表示されたボタンである必要はなく、操作キー５の一つに割り当てられてもよい。この点は、以下で述べる他のボタンについても同様である。また上述の例ではレシーバ４２を用いた通常通話を説明したが、上述したようにレシーバ４２に替えて圧電振動素子が設けられてもよい。この点は、以下に述べる他の実施の形態でも同様である。
【００７８】
＜動作＞
設定部１２２は、近接検出部７０が物体の近接を検出し、かつ、割り込み着信を受信したときに、リング入力を有効にする。以下、図１３を参照して具体例について説明する。図１３は制御部１０の動作の一例を示すフローチャートである。図１０と比較して、ステップＳＴ３，ＳＴ４を更に実行している。ステップＳＴ３は例えばステップＳＴ１において割り込み着信があると判断されたときに実行される。ステップＳＴ３にて、設定部１２２は、近接検出部７０によって物体の近接を検出しているか否かを判断する。物体の近接を検出したと判断されると、ステップＳＴ２にて、設定部１２２はリング入力を有効にする。
【００７９】
一方で、ステップＳＴ３にて物体の近接を検出していないと判断したときには、ステップＳＴ４にて、設定部１２２はリング入力を無効にする。
【００８０】
このような動作によれば、ユーザが携帯電話機１００を顔に近接させて通話している状態で割り込み着信を受信すると、近接検出部７０は物体の近接を検出するので、リング入力が有効となる。したがって、ユーザは装着型入力機器２００を用いて、割り込み着信に対する対応を携帯電話機１００に入力することができる。
【００８１】
一方で、近接検出部７０が物体の近接を検出しないとき、即ち、ユーザが携帯電話機１００から離れているときには、リング入力が無効となる。例えば、スピーカ通話を行っているときには、ユーザは携帯電話機１００から離れて通話を行う。このとき、通話処理部１１は図１２に例示する着信画面１００ａを表示し、割り込み着信に対する対応をユーザに促す。ユーザは、携帯電話機１００の表示領域２ａを直接に操作することによって、割り込み着信に対して対応することができる。
【００８２】
このようにリング入力を無効にすると、例えば次の点で有利である。即ち、ユーザが携帯電話機１００を直接に操作する際に、ある入力内容に対応する動きを操作部位で偶然に行ったとしても、その動きによる入力は携帯電話機１００に反映されないので、ユーザによる携帯電話機１００に対する直接の操作を邪魔しない。したがって、操作性を向上することができる。
【００８３】
また、通話処理部１１は、物体の近接を検出した状態では通話画面１００ｂにおける各ボタン１０１ｂ，１０２ｂ等の機能を無効にしてもよい。例えば通話処理部１１は表示部３０の表示を終了してもよい。これにより、ユーザが表示領域２ａに顔を当てた状態での、各ボタン１０１ｂ，１０２ｂの誤動作を回避することができる。
【００８４】
また上述の例とは異なって、近接検出部７０が物体を検出しないときにも、リング入力を有効に設定しても構わない。
【００８５】
またリング入力を無効にする場合には、装着型入力機器２００を割り込み着信を用いて報知しなくてもよい。これにより、ユーザはリング入力が無効であることを了知することができる。
【００８６】
第３の実施の形態．
携帯電話機１００の電気的な構成の一例としては、図４を採用してもよく、図１１を採用してもよい。
【００８７】
＜ハンズフリー装置３００を用いた通話＞
図１４は、外部装置たるハンズフリー装置３００を用いた通話モードを説明するための図である。ハンズフリー装置３００は有線で携帯電話機１００と接続されている。より具体的には、携帯電話機１００は接続部９０を有しており、この接続部９０に配線が接続されて、ハンズフリー装置３００が携帯電話機１００に接続される。この接続部９０は携帯電話機１００の内部において制御部１０に接続される。
【００８８】
通話処理部１１は、例えば第１電話機器から受け取った音声信号を、接続部９０を介して、ハンズフリー装置３００へと出力する。ハンズフリー装置３００はスピーカ３０１を有しており、当該音声信号に対応する音を当該スピーカ３０１から出力する。かかるスピーカ３０１は例えばイヤホンとしてハンズフリー装置３００に搭載されていてもよい。或いは、ハンズフリー装置３００は卓上型機器であってもよく、スピーカ３０１がハンズフリー装置３００に内蔵されてもよい。
【００８９】
ユーザの音声は、例えば携帯電話機１００のマイク４６に入力されてもよいし、あるいは、ハンズフリー装置３００がマイク３０２も有していてもよい。このマイク３０２は、ユーザが発した音声を音声信号に変換し、ハンズフリー装置３００はこの音声信号を携帯電話機１００へと出力する。通話処理部１１は接続部９０を介してハンズフリー装置３００からの音声信号を受け取り、無線通信部２０を介して、この音声信号を第１電話機器へと送信する。
【００９０】
これにより、ユーザはハンズフリー装置３００を用いて通話（以下、ハンズフリー通話と呼ぶ）を行うことができる。この場合、ユーザは通話中に携帯電話機１００を顔に近接させる必要はない。
【００９１】
通話処理部１１は、例えばユーザの選択によって、上述の通話を一つ実行することができる。或いは例えば、通話処理部１１は、ハンズフリー装置３００が携帯電話機１００に接続されているか否かを着信時に判断する。そして、ハンズフリー装置３００が接続された状態でユーザがボタン１０１ａを操作したときには、通話処理部１１はハンズフリー装置３００を用いた通話を行ってもよい。つまり、ハンズフリー装置３００が接続されているときには、優先的にハンズフリー通話を行ってもよい。
【００９２】
或いは、ユーザが上述の通話を選択する入力を、携帯電話機１００に対して行ってもよい。例えば通話処理部１１がこれらを選択するためのボタンを表示し、ユーザがそのボタンに対する操作によって、上記通話を選択してもよい。このボタンは、操作キー５に割り当てられてもよい。この点は他のボタンについても同様である。
【００９３】
また、例えばハンズフリー装置３００には、着信に対する応答／拒否を入力できる入力部が設けられていてもよい。この場合、ユーザが着信に対して当該入力部を用いて応答したときに、その情報が通話処理部１１に入力される。このとき、通話処理部１１はハンズフリー通話を開始してもよい。つまりハンズフリー装置３００を用いた応答があれば、ハンズフリー通話を優先的に行ってもうよい。
【００９４】
なおハンズフリー装置３００に報知部が設けられてもよい。この場合、通話処理部１１は着信があったことをハンズフリー装置３００に通知し、ハンズフリー装置３００の報知部がこれをユーザに報知してもよい。
【００９５】
図１５は制御部１０の動作の一例を示すフローチャートである。図１３と比較して、ステップＳＴ３の替わりにステップＳＴ３’を実行する。ステップＳＴ３’にて、通話処理部１１は、通常通話、スピーカ通話およびハンズフリー通話のいずれを行っているのかを判断する。その判断結果は設定部１２２へと出力される。この判断は、通話処理部１１が通話を開始するときに、例えば、その通話モードを記憶しておくことで実行できる。
【００９６】
通常通話を行っている場合には、ステップＳＴ２にて、設定部１２２がリング入力を有効とする。これによって、第１および第２の実施の形態と同様に、ユーザは携帯電話機１００を離すことなく、装着型入力機器２００を用いて、第２電話機器からの割り込み着信に対して対応することができる。
【００９７】
スピーカ通話またはハンズフリー通話を行っている場合には、ステップＳＴ４にて設定部１２２がリング入力を無効とする。これによって、第２の実施の形態と同様に、リング入力による誤動作を回避することができ、操作性を向上することができる。
【００９８】
＜ヘッドセット装置４００を用いた通話＞
図１６はヘッドセット装置４００を用いた通話（以下、ヘッドセット通話と呼ぶ）を説明するための図である。携帯電話機１００は、外部装置たるヘッドセット装置４００と無線で接続されている。ヘッドセット装置４００は、無線通信部（例えば近接無線通信部）とスピーカ４０１とマイク４０２とを有しており、ユーザに装着される。
【００９９】
ヘッドセット装置４００は、近接無線通信部を介して携帯電話機１００と通信を行うことができる。例えば携帯電話機１００から音声信号を受け取って、当該音声信号に対応する音を当該スピーカ４０１から出力する。かかるスピーカ４０１は例えばイヤホンとしてヘッドセット装置４００に搭載される。ヘッドセット装置４００のマイク４０２は、ユーザが発した音声を音声信号に変換する。ヘッドセット装置４００はこの音声信号を、近接無線通信部を介して、携帯電話機１００へと出力する。これにより、ユーザはヘッドセット装置４００を用いて通話を行うことができる。
【０１００】
ヘッドセット通話では、無線により、ヘッドセット装置４００と携帯電話機１００とが通信するので、有線に比べて、ヘッドセット装置４００と携帯電話機１００との間の空間の自由度が高い。
【０１０１】
またヘッドセット装置４００には、着信に対する対応を入力するための入力部（不図示）が設けられていてもよい。ユーザは着信に対する対応をヘッドセット装置４００の入力部に入力し、ヘッドセット装置４００はその入力を携帯電話機１００へと送信する。通話処理部１１は当該入力に応じた処理（例えば応答または拒否）を実行する。
【０１０２】
なおヘッドセット装置４００に報知部が設けられてもよい。この場合、通話処理部１１は着信があったことをヘッドセット装置４００に通知し、ヘッドセット装置４００の報知部がこれをユーザに報知してもよい。
【０１０３】
上述の通話のいずれを用いるのかは、例えば、ユーザの入力によって決定することができる。例えば通話処理部１１はいずれの通話を採用するかを設定するボタンを表示部３０に表示し、ユーザが当該ボタンを操作することで、いずれの通話を採用するのかを設定してもよい。或いは、ヘッドセット装置４００との信号の送受信が可能であるときに、優先的にヘッドセット装置４００を採用してもよい。あるいは、着信に対する応答を、ヘッドセット装置４００の入力部で行った場合にヘッドセット通話を行い、携帯電話機１００に表示されるボタン１０１ａで行った場合に通常通話を行ってもよい。
【０１０４】
図１７は制御部１０の動作の一例を示すフローチャートである。図１３と比較して、ステップＳＴ３の替わりにステップＳＴ３’’を実行する。ステップＳＴ３’’にて、通話処理部１１は、通常通話、ヘッドセット通話、スピーカ通話およびハンズフリー通話のいずれを行っているのかを判断する。その判断結果は設定部１２２へと出力される。
【０１０５】
通常通話またはヘッドセット通話を行っている場合には、ステップＳＴ２にて、設定部１２２がリング入力を有効とする。これによって、第１及び２の実施の形態と同様に、ユーザは携帯電話機１００を離すことなく、割り込み着信に対して対応することができる。ヘッドセット装置４００を用いて通話を行っている場合には、ユーザは例えば他の作業を行いながら、通話を行っていることが想定される。例えば車両の運転を行いながら通話を行っている場合がある。このような場合には、携帯電話機１００の直接の操作が困難であるところ、リング入力が有効であるので、ユーザは装着型入力機器２００を用いて操作を行うことができるのである。
【０１０６】
スピーカ通話またはハンズフリー通話を行っている場合には、第２の実施の形態と同様に、ステップＳＴ４にて設定部１２２がリング入力を無効とする。これによって、第２の実施の形態と同様に、リング入力による誤動作を回避することができ、操作性を向上することができる。
【０１０７】
なお、ハンズフリー装置３００とヘッドセット装置４００とを、有線および無線で区別していたものの、例えば卓上型および装着型で区別しても構わない。この場合、例えばハンズフリー装置３００が卓上型機器であり、ヘッドセット装置４００が装着型機器である。卓上型機器たるハンズフリー装置３００は、例えば室内に配置されることが多い。一方で、装着型機器たるヘッドセット装置４００を用いる場合には、携帯電話機１００に対する直接の操作をしにくい行動（例えば車両の運転、ランニングなど）を行ないつつ、通話を行う場合が多い。よって、装着型のヘッドセット装置４００を用いた通話において、リング入力が有効となる本制御部１０は有用である。
【０１０８】
また上述の各種の通話は、通話中に切り替えられても構わない。この場合でも、上述のように、割り込み着信があったときの通話の種別に応じて、リング入力を有効にすればよい。
【０１０９】
＜全体動作の一例＞
図１８は、制御部１０の動作の一例を示す図である。図１８では、上述の動作を纏めたフローチャートの一例が示される。ステップＳＴ１０にて、通話処理部１１は着信信号を受信する。ここではステップＳＴ１１において、ユーザは着信に応答する操作を行う。ステップＳＴ１２にて、通話処理部１１は、通常通話、ヘッドセット通話、スピーカ通話およびフリーハンズ通話のいずれで通話を行うかを判断する。
【０１１０】
ステップＳＴ１２において通常通話を行うと判断すると、ステップＳＴ１３にて、通話処理部１１は通常通話を開始する。この通常通話は後に述べる通話の終了まで継続する。
【０１１１】
次にステップＳＴ１４にて、通話処理部１１は、第２電話機器からの割り込み着信があったか否かを判断する。割り込み着信があると判断されると、ステップＳＴ１５にて、設定部１２２はリング入力を有効にする。次にステップＳＴ１６にて、ユーザによる割り込み着信に対する対応を待つ。より具体的には、割り込み着信を受信している期間に亘って当該対応を待つ。そして、ステップＳＴ１６にて、その割り込み着信に対する対応がユーザによって入力されると、ステップＳＴ１７にて、通話処理部１１はその入力に応じた処理を行う。例えばステップＳＴ１６において「応答」が入力されると、ステップＳＴ１７にて、例えば第１電話機器との通話を保留にし、第２電話機器との通話を開始する。ステップＳＴ１６において「拒否」が入力されると、ステップＳＴ１７において第２電話機器との通話を拒否する。ステップＳＴ１６において「メッセージ送信」が入力されると、ステップＳＴ１７にて第２電話機器の宛先情報（電話番号）をメッセージ処理部１３へと出力する。メッセージ処理部１３はユーザによるメッセージの入力を受け付け、ユーザによる送信指示の入力に応答して、当該メッセージを送信する。
【０１１２】
ステップＳＴ１７の実行後、または、ステップＳＴ１６にて割り込み着信に対する入力がないと判断されたときには、ステップＳＴ１８にて通話処理部１１は通話を終了するかどうかを判断する。例えば携帯電話機１００に表示されるボタン１０１ｂをユーザが選択することで、通話を終了する判断がなされる。あるいは、通話相手が通話を終了したときに、その情報を受信し、当該情報の受信によって通話を終了する判断がなされてもよい。通話を終了しないと判断した場合には、ステップＳＴ１４を再び実行する。通話を終了すると判断した場合にはステップＳＴ１９にて通話を終了する。
【０１１３】
ステップＳＴ１２にてヘッドセット通話を行うと判断した場合には、ステップＳＴ２０にて、通話処理部１１はヘッドセット通話を開始する。この通話は、ステップＳＴ１９における通話の終了まで維持される。ステップＳＴ２０の次に、ステップＳＴ１４〜ＳＴ１９を実行する。
【０１１４】
ステップＳＴ１２にてハンズフリー通話を行うと判断した場合には、ステップＳＴ２１にて、通話処理部１１はハンズフリー通話を開始する。このハンズフリー通話は後の通話終了まで維持される。
【０１１５】
次にステップＳＴ２２にて通話処理部１１は第２電話機器からの割り込み着信があったか否かを判断する。割り込み着信があると判断されると、ステップＳＴ２３にて、設定部１２２はリング入力を無効にする。次にステップＳＴ２４にて、通話処理部１１は、割り込み着信に対する応答をユーザに行わせるための着信画面１００ａ（図６参照）を表示部３０に表示する。次にステップＳＴ２５にて、通話処理部１１は、割り込み着信に対する対応がユーザによって入力されたか否かを判断する。割り込み着信に対する対応が入力されると、ステップＳＴ２６にて、通話処理部１１は入力に応じた処理を行う。
【０１１６】
ステップＳＴ２６の実行後、または、ステップＳＴ２５にて入力がないと判断されたときには、ステップＳＴ２７にて、通話処理部１１は通話を終了するかどうかを判断する。例えばユーザが通話を終了するボタンを選択することで、通話を終了する判断がなされる。あるいは、通話相手からの通話終了によっても、通話を終了する判断がなされてもよい。通話を終了しないと判断した場合には、ステップＳＴ２２を再び実行する。通話を終了すると判断した場合にはステップＳＴ２８にて通話を終了する。
【０１１７】
ステップＳＴ１２にてスピーカ通話を行うと判断した場合には、ステップＳＴ２９にて、通話処理部１１はスピーカ通話を開始する。このスピーカ通話はステップＳＴ２８における通話の終了まで維持される。ステップＳＴ２９の次にステップＳＴ２２〜ＳＴ２８を実行する。
【０１１８】
なお、ステップＳＴ２４の着信画面１００ａは、ステップＳＴ１４において割り込み着信があると判断されたときにも、実行されてよい。この場合、通常通話およびヘッドセット通話においては、割り込み着信に対する対応のために、リング入力および着信画面１００ａのいずれを用いても構わない。
【０１１９】
第４の実施の形態．
携帯電話機１００の電気的な構成の一例は図１１と同様である。図１９は制御部１０の動作の一例を示すフローチャートである。図１９の例示では、図１３と比較して、ステップＳＴ５が更に実行される。
【０１２０】
ステップＳＴ５は例えばステップＳＴ３において物体の近接を検出していないと判断されたときに実行される。ステップＳＴ５においては、通話処理部１１はヘッドセット通話を行っているか否かを判断する。ヘッドセット通話を行っていると判断すると、ステップＳＴ２を実行し、ヘッドセット通話を行っていないと判断すると、ステップＳＴ４を実行する。
【０１２１】
さて通常通話においては、ユーザは携帯電話機１００に顔を近接させて通話を行うので、近接検出部７０は物体の近接を検出する（ステップＳＴ３）。よって、通常通話ではリング入力が有効となる（ステップＳＴ２）。また、ヘッドセット通話が行われているとき（ステップＳＴ５）にも、リング入力が有効となる（ステップＳＴ２）。
【０１２２】
一方で、スピーカ通話またはフリーハンズ通話が行われているときには、近接検出部７０は物体の近接を検出せず（ステップＳＴ３）、かつ、ヘッドセット通話が行われると判断されない（ステップＳＴ５）ので、リング入力が無効となる（ステップＳＴ４）。
【０１２３】
以上のように、本動作によっても第４の実施の形態と同様に動作できる。しかも近接検出部７０を用いているので、ユーザが携帯電話機１００に顔を近接させている状態をより確実に検出できる。すなわち、携帯電話機１００を直接に操作しにくい状態、言い換えれば、リング入力の必要性が高い状態をより確実に検出したときに、リング入力を有効にしているのである。
【０１２４】
第５の実施の形態．
図２０は制御部１０の構成の一例を示している。制御部１０は、図５と比較して、録音処理部１４とメモ処理部１５とを更に備えている。録音処理部１４は通話内容を録音する機能部であり、ユーザが発した音声の音声信号と、通話相手からの音声信号とを時系列で記憶する。また録音処理部１４は記憶した録音データを再生する。ユーザは、携帯電話機１００に対して、録音開始の指示、録音停止の指示、録音データの再生の指示、録音データの再生停止の指示などを行うことができ、録音処理部１４はそれぞれに応じた処理を行う。例えば、入力に対応する各種のボタンを表示領域２ａに表示し、これを操作することによって、ユーザが録音に関する入力を携帯電話機１００に対して行うことができる。また、リング入力が有効であるときには、装着型入力機器２００を用いて入力することもできる。
【０１２５】
メモ処理部１５はテキストおよび図形の少なくとも一方のデータ（以下、メモデータとも呼ぶ）を生成し、これを記憶する機能部である。また、メモ処理部１５は、記憶したメモデータを表示部３０に表示する。ユーザは、携帯電話機１００に対して、テキストの入力、図形の入力、保存（記憶部への記憶）の指示、メモデータの表示、メモデータの表示終了の指示などを行うことができ、メモ処理部１５はそれぞれに応じた処理を行う。例えば、入力に対応する各種のボタンを表示領域２ａに表示し、これを操作することによって、ユーザがメモに関する入力を携帯電話機１００に対して行うことができる。また、リング入力が有効であるときには、装着型入力機器２００を用いて入力することもできる。
【０１２６】
なお上述の割り込み着信時の通話処理部１１の動作は、録音処理部１４およびメモ処理部１５よりも優先してもよい。即ち、割り込み着信を受信したときには、たとえ録音処理部１４またはメモ処理部１５が動作していても、その動作を一旦停止し、通話処理部１１が割り込み着信の動作を実行してもよい。
【０１２７】
設定部１２２は、通話処理部１１が通話を行っており、かつ、近接検出部７０が物体の近接を検出しているときに、リング入力を有効にする。図２１は制御部１０の動作の一例を示すフローチャートである。このフローチャートは通話が行われているときに実行される。このフローチャートは通話開始の際に１回のみ実行されてもよく、複数回実行されてもよい。
【０１２８】
ステップＳＴ３０にて、近接検出部７０が物体の近接を検出したか否かを判断する。近接検出部７０が物体の近接を検出した場合には、ステップＳＴ３１にて設定部１２２は例えば録音処理部１４およびメモ処理部１５に対するリング入力の少なくともいずれか一方を有効にする。
【０１２９】
録音処理部１４に対するリング入力を有効に設定する場合について説明する。例えばユーザは「録音開始」に対応する動きを操作部位で行うと、入力内容特定部１２１が動き情報ＭＤ１に基づいてこれを特定し、その情報を録音処理部１４へと出力する。録音処理部１４は通話内容の録音を開始する。即ち、ユーザが発した音声の音声信号と、通話相手からの音声信号とを時系列で記憶部（例えば記憶部１０３）に記憶する。またユーザが「録音終了」に対応する動きを操作部位で行うことで、あるいは、通話の終了に応答して、録音処理部１４は通話内容の録音を終了する。
【０１３０】
メモ処理部１５に対するリング入力を有効に設定した場合も同様である。例えばユーザは「テキスト情報の入力」に対応する動きを操作部位で行うと、入力内容特定部１２１が動き情報ＭＤ１に基づいてこれを特定し、その情報をメモ処理部１５へと出力する。続けてユーザは、例えばテキスト情報の各文字に対応する動きを順次に操作部位で行う。入力内容特定部１２１は各文字を特定して、メモ処理部１５へと順次に出力する。ユーザが例えば「保存」に対応する動きを操作部位で行うと、メモ処理部１５は入力されたテキスト情報を記憶部（例えば記憶部１０３など）に記憶する。
【０１３１】
或いは、ユーザは「図形の入力」に対応する動きを操作部位で行うことで、メモ処理部１５はその後の操作部位の動きの軌跡を図形として把握し、「保存」に対応する動きに応答してこの図形を記憶部（例えば記憶部１０３など）に記憶する。
【０１３２】
一方で、ステップＳＴ３０にて、近接検出部７０が物体の近接を検出していないときには、設定部１２２はリング入力を無効にする。例えば録音処理部１４に対するリング入力およびメモ処理部１５に対するリング入力を無効にする。
【０１３３】
このときユーザは、携帯電話機１００の表示領域２ａを操作して、携帯電話機１００に対する入力（例えば録音処理部１４およびメモ処理部１５に対する入力）を行う。
【０１３４】
以上のように、通話中に物体の近接を検出しているときには、リング入力が有効になる。したがって、ユーザが携帯電話機１００を直接に操作しにくい状態で、リング入力が有効になるのである。つまり、リング入力の必要性が高いときにリング入力を有効にすることができる。
【０１３５】
図２２は制御部１０の動作の一例を示すフローチャートである。図２１と比較して、ステップＳＴ３０の替わりにステップＳＴ３０’が実行される。ステップＳＴ３０’では、通話処理部１１は、通常通話、スピーカ通話およびハンズフリー通話のいずれを行っているのかを判断する。その判断結果は設定部１２２へと出力される。ステップＳＴ３０’にて、通常通話を行っていると判断したときには、ステップＳＴ３１が実行され、ステップＳＴ３０’にて、スピーカ通話またはハンズフリー通話を行っていると判断したときには、ステップＳＴ３２が実行される。
【０１３６】
通常通話を行っているときにはリング入力が有効となる。したがって、ユーザが携帯電話機１００を直接に操作しにくい状態で、即ちリング入力の必要性が高いときに、リング入力が有効になるのである。
【０１３７】
図２３は制御部１０の動作の一例を示すフローチャートである。図２１と比較して、ステップＳＴ３０の替わりにステップＳＴ３０’’が実行される。ステップＳＴ３０’’にて、通話処理部１１は、通常通話、ヘッドセット通話、スピーカ通話およびハンズフリー通話のいずれを行っているのかを判断する。その判断結果は設定部１２２へと出力される。ステップＳＴ３０’にて、通常通話またはヘッドセット通話を行っていると判断したときには、ステップＳＴ３１が実行され、ステップＳＴ３０’にて、スピーカ通話またはハンズフリー通話を行っていると判断したときには、ステップＳＴ３２が実行される。
【０１３８】
通常通話またはヘッドセット通話を行っているときにはリング入力が有効となる。したがって、ユーザが携帯電話機１００を直接に操作しにくいと想定される状態で、リング入力が有効になるのである。
【０１３９】
図２４は制御部１０の動作の一例を示すフローチャートである。図２１と比較して、ステップＳＴ３３が更に実行される。ステップＳＴ３３は例えばステップＳＴ３０において物体の近接を検出していないと判断されたときに実行される。ステップＳＴ３３においては、通話処理部１１はヘッドセット通話を行っているか否かを判断する。ヘッドセット通話を行っていると判断すると、ステップＳＴ２を実行し、ヘッドセット通話を行っていないと判断すると、ステップＳＴ４を実行する。
【０１４０】
これにより、図２３と同様に動作できる。しかも近接検出部７０を用いているので、ユーザが携帯電話機１００に顔を近接させている状態をより確実に検出できる。すなわち、携帯電話機１００を直接に操作しにくい状態、言い換えれば、リング入力の必要性が高い状態をより確実に検出したときに、リング入力を有効にしているのである。
【０１４１】
なお、リング入力の対象は録音処理部１４およびメモ処理部１５によらず、リング入力に応じた処理を実行可能な任意の処理部を採用できる。
【０１４２】
第６の実施の形態．
第６の実施の形態では、ユーザが通話を終了した後の通話処理部１１の動作について説明する。図２５は通話を終了したときのフローチャートの一例を示している。ステップＳＴ４１にて通話処理部１１は通話終了画面を表示部３０に表示する。図２６は通話終了画面１００ｃの一例を概略的に示している。通話終了画面１００ｃでは例えば、「確認」ボタン１０１ｃが設けられている。つまり、通話処理部１１は、通話が終了したときに、ボタン１０１ｃを表示部３０に表示している。なお図２６の例示では、他のボタンも設けられているものの、これらについては詳細な説明を省略する。
【０１４３】
この「確認」ボタン１０１ｃは、通話中に送信されたメッセージを表示するためのボタンである。このボタン１０１ｃは、通話中にメッセージの送信を行ったときのみ、表示されてもよい。例えば通話処理部１１は、通話中に、ユーザによってメッセージ送信が行われたことを記憶部（例えば記憶部１０３）に記憶しており、その通話を終了するときに、メッセージの送信の有無を確認して、メッセージが送信されていたときにボタン１０１ｃを表示し、メッセージが送信されていないときにボタン１０１ｃを表示しなくてもよい。
【０１４４】
ステップＳＴ４２にてユーザがボタン１０１ｃを操作すると、その操作がタッチパネル５０によって検出されて、その情報が通話処理部１１へと入力される。ステップＳＴ４３にて、通話処理部１１は、通話中に送信したメッセージを、例えば通話終了画面１００ｃに設けられたメッセージ表示部１０２ｃに表示したり、あるいは、別の表示画面を表示し、その表示画面にメッセージを表示させる。またメッセージとともに宛先情報も表示してもよい。
【０１４５】
これにより、ユーザは送信したメッセージを確認することができる。例えば通常通話において、装着型入力機器２００を用いてメッセージを送信した場合には、通話中にメッセージを確認しにくい。ところが、本動作によれば、通話が終了したときの通話終了画面１００ｃにボタン１０１ｃが設けられているので、簡単にメッセージを確認できる。よって利便性を向上できる。
【０１４６】
なお、通話処理部１１は「確認」ボタン１０１ｃを表示することなく、通話を終了したときに、ユーザ入力なしに、メッセージ、或いは更に宛先情報を表示部３０に表示してもよい。これによれば、より簡単にメッセージを確認できる。
【０１４７】
第４の実施の形態では、装着型入力機器２００によって通話内容を録音したり、メモを記憶した。そこで、これらの録音データまたはメモデータを確認するボタンを、通話終了画面に設けてもよい。図２７は通話終了画面１００ｃの一例を概略的に示す図である。図２７の例示では、「再生」ボタン１０３ｃと「メモ」ボタン１０４ｃとが設けられている。
【０１４８】
ユーザがボタン１０３ｃを操作すると、その操作がタッチパネル５０によって検出されて、その情報が録音処理部１４へと入力される。録音処理部１４は通話中に録音した音声データを再生する。音声データの出力先はレシーバ４２であってもよくスピーカ４４であってもよい。あるいは、ハンズフリー装置３００またはヘッドセット装置４００のスピーカであってもよい。
【０１４９】
ボタン１０３ｃが通話終了画面１００ｃに設けられているので、ユーザは通話中の録音データを、通話終了の際に簡単に確認することができる。
【０１５０】
ユーザがボタン１０４ｃを選択すると、メモ処理部１５は通話中に生成したメモデータを表示部３０に表示する。ボタン１０４ｃが通話終了画面１００ｃに設けられているので、ユーザは通話中に生成したメモデータを、通話終了の際に簡単に確認することができる。
【０１５１】
なお、録音データの再生およびメモデータの表示も、ボタンの操作なしに実行されてもよい。即ち、通話が終了したときに、ユーザの入力なしに、これらが行われてもよい。
【０１５２】
第７の実施の形態．
図２８は制御部１０の内部構成の一例を概略的に示すートである。制御部１０は、図５と比較して、読み上げ部１８を有している。
【０１５３】
読み上げ部１８は、例えば文字列データを解析して、その文字列の読み方を示す音声データ（いわゆる合成音声）を生成し、その音声データを例えばレシーバ４２およびスピーカ４４の一方に出力する。レシーバ４２およびスピーカ４４は、音声データを音声に変換して出力する。なお、この合成音声をハンズフリー装置３００またはヘッドセット装置４００のスピーカから出力してもよい。
【０１５４】
例えば通話処理部１１は、第２電話機器からの割り込み着信を受信したときに、当該割り込み着信に含まれる第２電話機器の電話番号を抽出し、予め記憶部（例えば記憶部１０３）登録された電話帳データから通話相手の名前を特定する。この電話帳データには、外部の電話機器の電話番号と、それに対応するユーザの名前が記憶されている。そして特定した名前を読み上げ部１８に出力する。読み上げ部１８は当該名前を合成音声で出力する。これにより、ユーザは通話を中断せずに、割り込み着信を送信した相手を認識することができる。
【０１５５】
またユーザが装着型入力機器２００を用いてテキスト情報を入力する場合に、そのテキスト情報が読み上げ部１８に入力され、読み上げ部１８がそのテキスト情報を合成音声で出力する。これにより、ユーザは通話を中断せずに、適切にテキスト情報を入力できたかどうかを確認することができる。
【０１５６】
第８の実施の形態．
図２９は制御部１０の構成の一例を示している。制御部１０は、図５と比較して、音声認識部１６と、文字列修正部１７とを更に備えている。音声認識部１６は、通話中にユーザが発した音声および通話相手からの音声の音声信号に基づいて、その通話内容を認識する。より具体的には音声認識部１６はその音声信号によって示される言葉、単語、または、文章（以下では、総称して言葉と呼ぶ）を認識する。音声認識の方法としては、任意の音声認識方法を採用すればよいものの、例えば予め記憶部（例えば記憶部１０３）に記憶された音声の特徴データと、音声信号とをマッチングして、その音声信号が示す言葉を認識する。その特徴データとしては、音響モデルが用いられる。この音響モデルは、複数の環境および複数の声で収集された、各文字を示す音の周波数特性を示すデータを含んでいる。あるいは、さらに、言語モデルを採用してもよい。この言語モデルとしては、文字の連なりの頻度を示すデータを有しており、当該データは例えば"look"の次には"at"、"for"、"to"が登場する頻度が高い、などを示すデータである。これにより、音声認識の精度を向上することができる。
【０１５７】
文字列修正部１７は、装着型入力機器２００によって入力される文字列を、音声認識部１６によって認識された文字列に基づいて修正する。例えば文字列修正部１７は、通話内容の文字列を単語ごとに管理する。以下では、当該単語を音声文字列とも呼ぶ。文字列修正部１７は例えば、装着型入力機器２００によって入力されるテキストデータに含まれる文字列（以下、入力文字列とも呼ぶ）と、音声文字列との類似度を算出する。このような類似度は例えばレーベンシュタイン距離を利用することができる。
【０１５８】
そして、類似度が所定値よりも高い場合に、その入力文字列を音声文字列に置き換える。図３０は文字列修正部１７の入出力の一例を示す図である。例えば過去あるいは現在の通話内容に「かいしゃ」という文字列が含まれ、音声文字列に"corporation"が登録されていると仮定する。このとき、装着型入力機器２００によって"corporetion"という入力文字列が入力されると、この入力文字列と、"corporation"という音声文字列との類似度が所定値よりも高いと判断されて、文字列修正部１７は、"corporetion"を"corporation"に修正する。
【０１５９】
文字列修正部１７は修正した文字列を、適切な処理部（例えばメッセージ処理部１３）へと出力する。
【０１６０】
これにより、ユーザによる文字列の修正の手間を低減することができる。
【０１６１】
なお修正に用いる音声文字列は、通話内容から所定回数以上登場した文字列を採用してもよい。また、例えば過去の通話内容に対しては、所定回数以上登場した文字列を採用し、通話中に登場した通話内容に対しては、回数の条件なしに文字列を採用してもよい。通話中の通話内容に含まれる単語が、その通話中で作成するメッセージに採用される可能性は、過去の通話内容に含まれる単語が採用される可能性よりも高いからである。
【０１６２】
より一般的に説明すると、修正に用いる音声文字列として採用する登場回数の閾値は、過去の通話内容において登場する文字列よりも、通話中の通話内容に登場する文字列の方を少なくしてもよい。言い換えると、文字列修正部１７は、過去の通話内容に第１回数以上含まれる文字列を音声文字列として採用しつつ、装着型入力機器２００からテキストが入力されるときの通話内容に、第１回数よりも少ない第２回数以上含まれる文字列を音声文字列として採用する。
【０１６３】
上記した説明は、すべての局面において、例示であって、本発明がそれに限定されるものではない。例示されていない無数の変形例が、本発明の範囲から外れることなく想定され得る。例えば入力内容特定部１２１は装着型入力機器２００に設けられてもよい。この場合、操作部位の動きに対応する入力内容が、装着型入力機器２００から携帯電話機１００へと送信される。
【０１６４】
実施の形態は、相互に矛盾しない限り、互いに組み合わせて実施することができる。各実施の形態で示したフローチャートは適宜に要素ごとに組み合わせても構わない。例えば図１３、図１５、図１７、及び図１９乃至図２５の全て又は少なくとも一部を図１８に適宜に組み合わせることができる。
【符号の説明】
【０１６５】
１１  通話処理部
１３  メッセージ処理部
１４  録音処理部
１５  メモ処理部
１６  音声認識部
１７  文字列修正部
１８  読み上げ部
３０  表示部
２２  近接無線通信部
１００  携帯電話機
１２２  設定部
２００  装着型入力機器
【図１】
0006591167.tif 000002
【図２】
0006591167.tif 000003
【図３】
0006591167.tif 000004
【図４】
0006591167.tif 000005
【図５】
0006591167.tif 000006
【図６】
0006591167.tif 000007
【図７】
0006591167.tif 000008
【図８】
0006591167.tif 000009
【図９】
0006591167.tif 000010
【図１０】
0006591167.tif 000011
【図１１】
0006591167.tif 000012
【図１２】
0006591167.tif 000013
【図１３】
0006591167.tif 000014
【図１４】
0006591167.tif 000015
【図１５】
0006591167.tif 000016
【図１６】
0006591167.tif 000017
【図１７】
0006591167.tif 000018
【図１８】
0006591167.tif 000019
【図１９】
0006591167.tif 000020
【図２０】
0006591167.tif 000021
【図２１】
0006591167.tif 000022
【図２２】
0006591167.tif 000023
【図２３】
0006591167.tif 000024
【図２４】
0006591167.tif 000025
【図２５】
0006591167.tif 000026
【図２６】
0006591167.tif 000027
【図２７】
0006591167.tif 000028
【図２８】
0006591167.tif 000029
【図２９】
0006591167.tif 000030
【図３０】
0006591167.tif 000031